(57)【要約】【課題】データ品質に応じて自動的に入力を選択することによりユーザの煩雑な選択操作を不要とする。【解決手段】実施形態の画像表示装置は、所定の伝送路を介して放送された第１の放送信号を受信してコンテンツの第１のストリームを得る第１の受信部と、通信回線を介して伝送された第２の放送信号を受信して前記コンテンツと同一のコンテンツについての第２のストリームを得る第２の受信部と、前記第１及び第２の放送信号のデータ品質を検出するデータ品質検出部と、前記データ品質検出部の検出結果に基づいて、前記第１及び第２の放送信号のうちデータ品質が劣化していない放送信号に切り換え選択する選択信号を発生する選択部と、前記選択信号に基づいて、前記第１及び第２のストリームのうち、前記選択部が選択した放送信号に基づくストリームを、画像処理を行う画像処理部に供給する切換部とを具備する。【選択図】図１
2013138367.tif 000002
【特許請求の範囲】
【請求項１】
所定の伝送路を介して放送された第１の放送信号を受信してコンテンツの第１のストリームを得る第１の受信部と、
通信回線を介して伝送された第２の放送信号を受信して前記コンテンツと同一のコンテンツについての第２のストリームを得る第２の受信部と、
前記第１及び第２の放送信号のデータ品質を検出するデータ品質検出部と、
前記データ品質検出部の検出結果に基づいて、前記第１及び第２の放送信号のうちデータ品質が劣化していない放送信号に切り換え選択する選択信号を発生する選択部と、
前記選択信号に基づいて、前記第１及び第２のストリームのうち、前記選択部が選択した放送信号に基づくストリームを、画像処理を行う画像処理部に供給する切換部と
を具備する画像表示装置。
【請求項２】
前記データ品質検出部は、前記第１及び第２の放送信号の信号対雑音比、エラーレート、伝送品質の情報及び遅延量のうちの少なくとも１つの情報に基づいて、データ品質を検出する
請求項１に記載の画像表示装置。
【請求項３】
前記切換部は、前記第１及び第２のストリームを記憶する記憶部を具備する
請求項１又は２に記載の画像表示装置。
【請求項４】
前記第１及び第２のストリームに含まれる時間情報を検出する時間情報検出部を具備し、
前記切換部は、前記時間情報を用いることで、前記ストリームの切り換え選択に際して、ストリームの連続性を維持する
請求項１乃至３のいずれか１つに記載の画像表示装置。
【請求項５】
前記選択部は、前記データ品質検出部の検出結果に基づいて、前記第１及び第２の放送信号のうちデータ品質が劣化するタイミングを推定することで、データ品質の劣化前に、データ品質が劣化していない放送信号を選択する選択信号を発生する
請求項１乃至４のいずれか１つに記載の画像表示装置。
【発明の詳細な説明】
【技術分野】
【０００１】
本発明の実施形態は、画像受信装置に関する。
【背景技術】
【０００２】
近年、デジタル方式で送信を行なうデジタル放送が開始されている。日本のデジタル放送では、ＩＳＤＢ−Ｔ方式が採用されている。ＩＳＤＢ−Ｔ方式においては、ＭＰＥＧ（Moving Picture Expert Group）２規格で規定されたＴＳ（トランスポートストリーム）に、誤り訂正符号化、インターリーブ符号化、デジタル変調等の信号処理が施され、更に、ＯＦＤＭ（Orthogonal Frequency Division Multiplexing）変調されて出力される。
【０００３】
また、インターネットプロトコル（ＩＰ）を用いたデジタル放送（ＩＰ放送）の番組配信も行われている。ＩＰ放送では、デジタル放送のコンテンツをＩＰパケット化し、ＩＰ網であるインターネットを経由して送信する。
【０００４】
このような一般のデジタル放送やＩＰ放送を受信可能なテレビジョン受信機においては、電波によって伝送されるテレビジョン放送信号を受信するためのアンテナと、ＩＰ網からのテレビジョン放送信号を受信するためのＬＡＮ（ローカルエリアネットワーク）端子等のネットワーク端子を備える。そして、アンテナ入力とネットワーク入力とを切換えることで、アンテナ経由で受信したコンテンツとＩＰ網経由で受信したコンテンツとを切換えて表示させることができる。
【０００５】
視聴者は、同一コンテンツについて、異なる経路を介して伝送された放送信号を受信して視聴することが可能であり、視聴者の選択の幅が広がるという利点がある。
【０００６】
しかしながら、視聴者は、同一コンテンツについて、いずれの経路を介して伝送された放送信号を受信すべきか判断して、いずれか一つの入力を選択する操作を行う必要があり、煩雑である。
【先行技術文献】
【特許文献】
【０００７】
【特許文献１】特開２００５−１９１９１６号公報
【発明の概要】
【発明が解決しようとする課題】
【０００８】
本発明の実施形態は、データ品質に応じて自動的に入力を選択することによりユーザの煩雑な選択操作を不要とすることができる画像受信装置を提供することを目的とする。
【課題を解決するための手段】
【０００９】
実施形態の画像受信装置は、所定の伝送路を介して放送された第１の放送信号を受信してコンテンツの第１のストリームを得る第１の受信部と、通信回線を介して伝送された第２の放送信号を受信して前記コンテンツと同一のコンテンツについての第２のストリームを得る第２の受信部と、前記第１及び第２の放送信号のデータ品質を検出するデータ品質検出部と、前記データ品質検出部の検出結果に基づいて、前記第１及び第２の放送信号のうちデータ品質が劣化していない放送信号に切り換え選択する選択信号を発生する選択部と、前記選択信号に基づいて、前記第１及び第２のストリームのうち、前記選択部が選択した放送信号に基づくストリームを、画像処理を行う画像処理部に供給する切換部とを具備する。
【図面の簡単な説明】
【００１０】
【図１】本発明の第１の実施の形態に係る画像受信装置を示すブロック図。
【図２】図１中の安定データ推定部１４の具体的な構成の一例を示すブロック図。
【図３】図１中のデータ整合部１６の具体的な構成の一例を示すブロック図。
【図４】図１中の切換部１５の具体的な構成の一例を示すブロック図。
【図５】実施の形態の動作を説明するためのフローチャート。
【図６】復調部１３の処理を説明するための説明図。
【図７】本発明の第２の実施の形態に採用されるデータ整合部５１を示すブロック図。
【発明を実施するための形態】
【００１１】
以下、図面を参照して本発明の実施の形態について詳細に説明する。
【００１２】
（第１の実施の形態）
図１は本発明の第１の実施の形態に係る画像受信装置を示すブロック図である。
【００１３】
図１において、アンテナ１１には、デジタル放送信号が誘起する。一方、ネットワーク端子Ｉ１，Ｉ２は、例えば有線ＬＡＮや無線ＬＡＮ等のネットワークへのインタフェースに夫々接続されており、ＩＰパケット化されたデジタル放送信号が入力される。アンテナ１１に誘起したデジタル放送信号とネットワーク端子Ｉ１，Ｉ２に入力されたデジタル放送信号とは、同一のコンテンツに関するものであり、略同一の時刻に受信されるようになっている。
【００１４】
アンテナ１１に誘起したデジタル放送信号はチューナ１２に供給される。チューナ１２は、ユーザの選局操作に基づくチャンネルを選局し、選局した放送信号を復調部１３に出力する。復調部１３は、選局された放送信号を直交検波することによって、ベースバンドのＯＦＤＭ信号を得る。復調部１３は、ベースバンドのＯＦＤＭ信号からガードインターバルを除去し、ＦＦＴ（高速フーリエ変換）処理によって、時間領域のＯＦＤＭ信号を周波数領域のＯＦＤＭシンボルに変換する。
【００１５】
更に、復調部１３は、ＯＦＤＭシンボルから元のデータを復元する。例えば、ＯＦＤＭシンボルの各サブキャリアはＰＳＫ変調又はＱＡＭ変調等の変調方式によって変調されており、復調部１３はこれらの変調方式に対応した復調処理によって元のデータを復元する。また、復調部１３は、復調信号に対して、送信側において施された誤り訂正処理である内符号化処理及び外符号化処理の逆処理を行って、ＯＦＤＭ信号によって伝送されたトランスポートストリームを復元する。復調部１３は、復元したトランスポートストリームＴａを切換部１５及びデータ整合部１６に与える。
【００１６】
一方、図示しないネットワーク経由で放送信号を提供するサーバは、放送信号のトランスポートストリームをＩＰパケット化して図示しないネットワーク上に送信する。なお、このネットワークは、インターネット等のＩＰプロトコルによる通信が可能なネットワークである。
【００１７】
また、この種のサーバは、トランスポートストリームにタイムスタンプを付加した後、ＩＰパケット化してネットワーク上に送信することもある。また、サーバは、トランスポートストリーム内の映像・音声のコーデックを変換（トランスコード）してもよい。
【００１８】
ＩＰパケット化された放送信号のトランスポートストリームは、図示しないネットワークを経由して伝送され、ＬＡＮ等のインタフェースを介してデパケット化された後、ネットワーク端子Ｉ１やＩ２に入力される。このトランスポートストリームＴｉは切換部１５及びデータ整合部１６に供給される。
【００１９】
切換部１５が復調部１３の出力を選択することにより、アンテナ１１を介して伝送された放送信号のトランスポートストリームＴａが選択されて音声・画像処理部１７に供給され、切換部１５がネットワーク端子Ｉ１又はＩ２の出力を選択することにより、ネットワークを介して伝送された放送信号のトランスポートストリームＴｉが選択されて音声・画像処理部１７に供給される。
【００２０】
なお、トランスポートストリームは、マルチプログラム（チャンネル）に対応しており、復号化時において時分割で伝送される複数のプログラムの中から所望のプログラムのパケットを選択することができるようになっている。この選択のために、トランスポート（ＴＳ）パケットのヘッダには、パケット識別のためのＩＤであるＰＩＤが付加されており、トランスポートストリームには、プログラムを構成するビデオ、オーディオ等のＰＩＤのリストが記述されているテーブル情報を含むＰＭＴ（Program Map Tabel）やＰＡＴ（Program Association Table）パケットも多重されている。
【００２１】
音声・画像処理部１７は、所望の番組のパケットを抽出するために、これらのＰＡＴ及びＰＭＴパケットを参照して、所望の番組のビデオデータ、オーディオデータのパケットを抽出する。音声・画像処理部１７は、抽出したパケットをデコードして画像出力及び音声出力を得る。音声・画像処理部１７がこれらの画像出力及び音声出力を図示しないモニタに供給することで、指定されたコンテンツの視聴が可能である。
【００２２】
本実施の形態においては、データ整合部１６によって、切換部１５の選択処理を制御することで、視聴者が望むコンテンツであって、視聴者が希望するであろう経路を介して伝送されたコンテンツを自動的に選択することを可能にしている。
【００２３】
この選択を可能にするために、復調部１３には安定データ推定部１４が設けられている。安定データ推定部１４には、復調部１３の復調処理の過程で得られた、クロックずれ情報、キャリアずれ情報、伝送パラメータ、信号レベル及びエラー信号等の情報が入力される。安定データ推定部１４は、これらの入力された情報に基づいて、電波によって送信された放送信号のデータ品質を判定し、判定結果である安定情報をデータ整合部１６に出力するようになっている。
【００２４】
図２は図１中の安定データ推定部１４の具体的な構成の一例として、ＳＮ（信号対ノイズ比）及び推定ＢＥＲ（ビットエラーレート）をデータ品質の判定に用いる場合の回路構成を示すブロック図である。信号レベル検出部２１は、受信した信号の信号レベル及びノイズレベルを検出して、ＳＮ算出部２２に出力する。ＳＮ算出部２２は、受信信号のＳＮを算出して算出結果であるＳＮを安定情報としてデータ整合部１６に出力する。
【００２５】
エラー検出部２３は、受信信号のビットエラーを検出して、ＢＥＲ算出部２４に出力する。ＢＥＲ算出部２４は、受信信号のＢＥＲを算出して算出結果であるＢＥＲを安定情報としてデータ整合部１６に出力する。このように、安定データ推定部１４からは、電波によって送信された放送信号のデータ品質を示す安定情報がデータ整合部１６に供給される。
【００２６】
図３は図１中のデータ整合部１６の具体的な構成の一例を示すブロック図である。ネットワーク端子Ｉ１又はＩ２からのトランスポートストリームＴｉは、ＱＯＳ検出部３１及び遅延検出部３２に供給される。ＱＯＳ検出部３１は、ネットワークを経由して伝送された受信データのＱＯＳ（伝送品質）を検出して検出結果を不良判定部３５ａに出力する。遅延検出部３２は、ネットワークを経由して伝送された受信データの遅延量を検出して検出結果を不良判定部３５ｂに出力する。また、不良判定部３５ｃ，３５ｄには、夫々安定データ推定部１４からのＳＮ又はＢＥＲが供給される。
【００２７】
不良判定部３５ａ，３５ｂには、ネットワークを経由して伝送された放送信号を不良と判定するためのＱＯＳに関する閾値又は遅延量に関する閾値が夫々設定されている。不良判定部３５ａ，３５ｂは、これらの閾値と入力されたＱＯＳ又は遅延量とを夫々比較することで、不良であるか否かの判定結果を決定部３６に出力する。
【００２８】
同様に、不良判定部３５ｃ，３５ｄには、電波によって伝送された放送信号を不良と判定するためのＳＮに関する閾値又はＢＥＲに関する閾値が夫々設定されている。不良判定部３５ｃ，３５ｄは、これらの閾値と入力されたＳＮ又はＢＥＲとを夫々比較することで、不良であるか否かの判定結果を決定部３６に出力する。
【００２９】
また、ネットワーク端子Ｉ１又はＩ２からのトランスポートストリームＴｉは時間情報検出部３３に供給され、復調部１３からのトランスポートストリームＴａは時間情報検出部３４に供給される。トランスポートストリームには、ストリームの時間基準となる時間情報や復号再生処理の時間基準となる時間情報が挿入されており、時間情報検出部３３，３４は、入力されたストリーム中の時間情報を検出して、検出結果を決定部３６に出力する。
【００３０】
決定部３６は、不良判定部３５ａ〜３５ｄの判定結果が与えられて、通信回線であるネットワーク経由で伝送された放送信号と電波によって伝送された放送信号のうち、判定結果により不良と判定されていない放送信号を選択するための選択信号を生成して切換部１５に出力する。
【００３１】
また、決定部３６は、選択する放送信号の切り換えに際して、切換え前後において再生されるフレームが連続するように、時間情報検出部３３，３４からの時間情報を、切り換え前のパケットに連続するパケットを指定するためのパケット制御信号として切換部１５に出力する。
【００３２】
図４は図１中の切換部１５の具体的な構成の一例を示すブロック図である。ネットワーク端子Ｉ１又はＩ２からのトランスポートストリームＴｉはバッファ部４１に供給されて保持され、復調部１３からのトランスポートストリームＴａはバッファ部４２に供給されて保持される。バッファ部４１，４２はパケット制御信号によって指示されたパケット以降のパケットを順次スイッチ４３に出力する。スイッチ４３は選択信号によって制御されて、バッファ部４１，４２に記憶されたトランスポートストリームＴｉ又はＴａを選択的に音声・画像処理部１７に出力するようになっている。
【００３３】
次に、このように構成された実施の形態の動作について図５及び図６を参照して説明する。図５は実施の形態の動作を説明するためのフローチャートである。図６は復調部１３の処理を説明するための説明図である。
【００３４】
アンテナ１１には、電波によって伝送される放送信号が誘起する。また、ネットワーク端子Ｉ１，Ｉ２には、通信回線を介して伝送される放送信号が入力される。これらの放送信号によって提供されるコンテンツは相互に同一であって、相互に若干の遅延を有するが略同一の時間帯に受信されるものとする。初期状態においては、電波によって伝送された放送信号に基づくコンテンツとネットワークを介して伝送された放送信号に基づくコンテンツとのいずれのコンテンツを視聴するように設定されていてもよい。
【００３５】
アンテナ１１に誘起した放送信号はチューナ１２によって選局され、復調部１３によって復調されて、復調部１３からはトランスポートストリームＴａが出力される。一方、ネットワーク端子Ｉ１又はＩ２には、デパケット化されたトランスポートストリームＴｉが入力される。これらのトランスポートストリームＴａ，Ｔｉは、切換部１５及びデータ整合部１６に供給される。
【００３６】
本実施の形態においては、復調部１３に設けられた安定データ推定部１４は、電波によって伝送された放送信号のデータ品質を求めて、安定情報を出力する。安定データ推定部１４は復調部１３の復調処理に関する種々の情報を取得する。図６は復調部１３の各処理のタイミングを説明するものである。図６は各処理の処理期間を示すと共に、黒丸によって処理により得られる情報の取得タイミング及び出力タイミング等を示している。
【００３７】
選局の後、復調部１３において復調処理が開始されて、クロック引き込み及びキャリア引き込みが行われる（図６（ａ），（ｂ））。この処理に際してクロックずれ情報及びキャリアずれ情報が得られる。図６（ｃ）〜（ｅ）に示すように、復調処理の開始タイミングから、復調処理と同時に、入力レベル制御及び伝送パラメータ検出処理が行われる。こうして、伝送パラメータが取得される。
【００３８】
クロック同期及びキャリア同期が確立すると、図６（ｆ）に示すように、受信レベルの測定結果に基づいて、受信ＳＮが求められる。次いで、受信エラーによって、推定ＢＥＲが算出される（図６（ｇ））。復調処理の開始から所定時間が経過すると、復調出力、即ち、トランスポートストリームＴａが出力される。復調出力の初期には、復調出力は安定しておらず、この期間は図６（ｈ）に示すように、復調出力は安定したデータでない復調処理途上データとなる。復調処理の開始から安定データ出力開始時間が経過すると、安定した復調出力（安定データ）が出力される。
【００３９】
安定データ推定部１４は、図５のステップＳ１において、データ品質判定のための情報収集を行い、ステップＳ２において、例えば、図６（ｆ），（ｇ）に示す受信ＳＮ及び推定ＢＥＲを求めて、安定情報としてデータ整合部１６に出力する。
【００４０】
一方、ネットワーク端子Ｉ１又はＩ２に入力されたトランスポートストリームＴｉは、データ整合部１６に供給される。データ整合部１６のＱＯＳ検出部３１及び遅延検出部３２は、トランスポートストリームＴｉに基づいてＱＯＳ及び遅延量を求める（ステップＳ２）。
【００４１】
不良判定部３５ｃ，３５ｄ，３５ａ，３５ｂは、夫々、図５のステップＳ３〜Ｓ６において、データ品質が不良であるか否かの判定を行い、判定結果を決定部３６に出力する。即ち、不良判定部３５ｃは、入力されたＳＮが所定の閾値よりも小さいか否かを判定する。ＳＮが閾値より小さい場合には、決定部３６は、電波により伝送された放送信号のデータ品質が劣化しているものと判定して、ネットワークを介して伝送された放送信号、即ち、トランスポートストリームＴｉを選択するための選択信号を出力する（ステップＳ７）。
【００４２】
同様に、不良判定部３５ｄは、入力されたＢＥＲが所定の閾値よりも大きいか否かを判定する。ＢＥＲが閾値より大きい場合には、決定部３６は、電波により伝送された放送信号のデータ品質が劣化しているものと判定して、ネットワークを介して伝送された放送信号、即ち、トランスポートストリームＴｉを選択するための選択信号を出力する（ステップＳ７）。また、この場合には、決定部３６は、トランスポートストリームの切り換え前に選択していたトランスポートストリームＴａの時間情報をパケット制御信号として出力する（ステップＳ８）。
【００４３】
また、不良判定部３５ａは、入力されたＱＯＳが所定の閾値よりも小さいか否かを判定する。ＱＯＳが閾値より小さい場合には、決定部３６は、ネットワーク経由で伝送された放送信号のデータ品質が劣化しているものと判定して、電波を介して伝送された放送信号に基づくストリーム、即ち、トランスポートストリームＴａを選択するための選択信号を出力する（ステップＳ９）。
【００４４】
同様に、不良判定部３５ｂは、入力された遅延量が所定の閾値よりも大きいか否かを判定する。遅延量が閾値より大きい場合には、決定部３６は、ネットワーク経由で伝送された放送信号のデータ品質が劣化しているものと判定して、電波を介して伝送された放送信号に基づくストリーム、即ち、トランスポートストリームＴａを選択するための選択信号を出力する（ステップＳ９）。また、この場合には、決定部３６は、トランスポートストリームの切り換え前に選択していたトランスポートストリームＴｉの時間情報をパケット制御信号として出力する（ステップＳ１０）。
【００４５】
切換部１５のバッファ部４１，４２には、トランスポートストリームＴｉ，Ｔａが夫々記憶されている。バッファ部４１，４２は、パケット制御信号に応じたパケットの読み出しを順次行う。これにより、表示フレームが連続するように連続したパケットの読み出しが行われる。
【００４６】
バッファ４１，４２からのトラスポートストリームＴｉ，Ｔａは、スイッチ４３に供給され、選択信号に基づいて、いずれか一方のトランスポートストリームが選択されて音声・画像処理部１７に供給される。音声・画像処理部１７は、トランスポートストリームに基づく画像信号及び音声信号を生成して、図示しないモニタに供給する。こうして、モニタの表示画面上には、ユーザが希望するコンテンツであって、データ品質が劣化していない放送信号に基づくコンテンツが自動的に選択されて表示される。
【００４７】
このように本実施の形態においては、複数の伝送路を介して伝送された同一コンテンツについての放送信号を受信可能な場合において、各伝送路を経由した放送信号のデータ品質を検出し、データ品質が劣化していない放送信号に基づくトランスポートストリームが選択されて表示処理されるようになっており、視聴者は煩雑な操作を行うことなく、データ品質が劣化していない放送信号に基づくコンテンツの視聴が可能となる。これにより、天候不良等の理由で電波による放送信号のデータ品質が劣化する場合や、回線トラフィックの増大によりネットワーク経由の放送信号のデータ品質が劣化する場合等においても、視聴者は現在選択中の入力に基づくコンテンツと他の入力に基づくコンテンツとを表示して、いずれのコンテンツを選択するかを決定するという煩雑な操作を行う必要はなく、自動的にデータ品質が劣化していない入力に基づくコンテンツが選択される。しかも、入力の切り換えに際して、表示フレームが連続するようにパケットの選択が行われており、入力の切り換え時に画像劣化が生じることもない。
【００４８】
（第２の実施の形態）
図７は本発明の第２の実施の形態に採用されるデータ整合部５１を示すブロック図である。図７において図３と同一の構成要素には同一符号を付して説明を省略する。本実施の形態は、データ整合部の構成のみが図１の画像受信装置と異なる。
【００４９】
第１の実施の形態においては、データ品質を示す安定情報を閾値と比較することで、受信不良であるか否かを判定し、不良と判定された場合に入力の切り換えを行うようになっている。しかし、閾値の設定によっては、データ品質が著しく低下し、画面表示が劣化した後に、入力が切換えられることも考えられる。そこで、本実施の形態においては、データ品質を示す安定情報の履歴によって、データ品質の劣化を予測し、画面表示が劣化する前に入力を切換えるようにするようになっている。
【００５０】
図７において、安定データ推定部１４（図１参照）からのＳＮ及びＢＥＲは、夫々情報保持部５２，５３に供給される。情報保持部５２，５３は、夫々入力されたＳＮ又はＢＥＲを記憶すると共に、記憶した履歴を不良推定部５４，５５に出力する。
【００５１】
不良推定部５４は、情報保持部５２から受信ＳＮの履歴が与えられ、履歴に基づいて受信ＳＮの変化を推定し、受信ＳＮが閾値よりも小さくなるタイミングを推定する。また、不良推定部５５は、情報保持部５３からＢＥＲの履歴が与えられ、履歴に基づいてＢＥＲの変化を推定し、ＢＥＲが閾値よりも大きくなるタイミングを推定する。不良推定部５４，５５の推定結果は決定部５６に供給される。
【００５２】
決定部５６は、不良判定部３５ａ，３５ｂの判定結果及び不良推定部５４，５５の推定結果が与えられて、通信回線であるネットワーク経由で伝送された放送信号と電波によって伝送された放送信号のうち、不良と判定されていない放送信号又は不良と推定されていない放送信号を選択するための選択信号を生成して切換部１５に出力する。なお、決定部５６は、図３の決定部３６と同様に、選択する放送信号の切り換えに際して、切換え前後において再生されるフレームが連続するように、パケット制御信号を切換部１５に出力する。
【００５３】
次に、このように構成された実施の形態の動作について説明する。
【００５４】
いま、ネットワーク端子Ｉ１又はＩ２に入力された放送信号に基づくコンテンツを視聴中であるものとする。ここで、ネットワーク回線のトラフィックの増大等の理由で、データ品質が劣化するものとする。データ整合部５１のＱＯＳ検出部３１及び遅延検出部３２の検出結果によって、不良判定部３５ａ，３５ｂは、データ品質が劣化したものと判定し判定結果を決定部５６に出力する。これにより、決定部５６は、以後のパケットについて、電波を介して受信した放送信号に基づくトランスポートストリームＴａを選択するように選択信号を切換部１５に出力する。こうして、以後、アンテナ１１を介して受信した良好なデータ品質の放送信号に基づくコンテンツによる視聴が可能となる。
【００５５】
次に、現在、アンテナ１１に誘起した放送信号に基づくコンテンツを視聴中であるものとする。ここで、天候不良等の理由で、電波による放送信号のデータ品質が不安定になるものとする。データ整合部５１の情報保持部５２，５３は、受信ＳＮ及び推定ＢＥＲを保持し、これらの履歴を不良推定部５４，５５に出力している。
【００５６】
不良推定部５４，５５は、受信ＳＮ及び推定ＢＥＲの履歴に基づいて、受信ＳＮ及び推定ＢＥＲがどのように変化するかを推定する。不良推定部５４，５５は、受信ＳＮ及び推定ＢＥＲが閾値を超えてデータ品質が劣化するタイミングを推定する。不良推定部５４，５５の推定結果は決定部５６に供給される。
【００５７】
決定部５６は、不良推定部５４，５５の推定結果によって、所定時間後にアンテナ１１を経由した放送信号のデータ品質が劣化するものと判定した場合には、この時間の前に、ネットワークを介して受信した放送信号に基づくトランスポートストリームＴｉを選択するように選択信号を切換部１５に出力する。こうして、実際には、アンテナ１１を介して受信した放送信号のデータ品質が良好である期間において、ネットワークを介して受信中の良好なデータ品質の放送信号に基づくコンテンツによる視聴に切換える。これにより、データ品質が劣化することなく、入力の切り換えが行われて、視聴者は良好な受信状態でコンテンツを視聴することができる。
【００５８】
このように、本実施の形態においては、データ品質が不良となるタイミングを推定して、入力の切り換えを行っており、データ品質が劣化することなく、良好な受信状態での視聴を継続することができる。
【００５９】
なお、上記実施の形態においては、データ整合部５１は、受信ＳＮ及びＢＥＲの変化を推定する例について説明したが、図６に示した各種情報に基づいて、受信状態が劣化するタイミングを推定することも可能である。更に、データ整合部５１は、図６の各種情報を用いて、安定した受信状態が得られるタイミングを推定することも可能である。
【００６０】
本発明は、上記各実施形態に限定されるものではなく、実施段階ではその要旨を逸脱しない範囲で種々に変形することが可能である。また、上記各実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【符号の説明】
【００６１】
１３…復調部、１４…安定データ推定部、１５…切換部、１６…データ整合部、１７…音声・画像処理部。
【図１】
2013138367.tif 000003
【図２】
2013138367.tif 000004
【図３】
2013138367.tif 000005
【図４】
2013138367.tif 000006
【図５】
2013138367.tif 000007
【図６】
2013138367.tif 000008
【図７】
2013138367.tif 000009